(57)【要約】【課題】ラベルの装着位置に制限が加えられたり容器が部分的に痩せて見える不都合なしに高い減圧吸収能を保持できる合成樹脂製容器を提案する。【解決手段】胴部の周りに区画凹所を設けてそれを減圧吸収パネル（３）とする合成樹脂製の容器において、前記減圧吸収パネル（３）を、容器の口部から底部へ向かって延びるとともに胴部の周りで相互に間隔（Ｌ）を開けて配列される複数の縦壁（３ａ〜３ｈ）と、隣接する縦壁（３ａ〜３ｈ）を相互に連結する少なくとも１つの横壁（３ｉ〜３ｐ）にて構成する。【選択図】図１
2005343474.tif 000002
【特許請求の範囲】
【請求項１】
胴部の周りに区画凹所を設けてそれを減圧吸収パネルとする合成樹脂製の容器であって、
前記減圧吸収パネルは、容器の口部から底部へ向かって延びるとともに胴部の周りで相互に間隔を開けて配列される複数の縦壁と、隣接する縦壁を相互に連結する少なくとも１つの横壁からなることを特徴とする合成樹脂製容器。
【請求項２】
前記横壁は、縦壁の上端又は下端の何れか一方で連結する請求項１記載の合成樹脂製容器。
【請求項３】
前記横壁は、前記縦壁の上端同士及び下端同士をそれぞれ一つおきに交互に連結し全体としてエンドレスの波形形状に区画するものである、請求項１又は２記載の合成樹脂製容器。
【請求項４】
前記横壁は、前記縦壁の上端同士又は下端同士をそれぞれ連結しＵ字又は逆Ｕ字形状に区画するものである、請求項１又は２記載の合成樹脂製容器。
【発明の詳細な説明】
【技術分野】
【０００１】
本発明は、温度の高い内容物を充填するのに適した減圧吸収壁を備える合成樹脂製の容器に関するもので、該容器の減圧吸収能を、外観形状を損ねたりラベルの装着位置が限定されることなしに高い状態に維持しようとするものである。
【背景技術】
【０００２】
ペットボトルに代表される合成樹脂製の容器は、軽量で取り扱いが容易であること、また、透明性を確保できガラス性の容器に比較して遜色のない外観を呈ししかもコスト的にも安価であることから近年、食品や飲料、化粧料あるいは薬剤等を充填する容器として多用されている。
【０００３】
とくに、高温の内容物を充填するのに適した耐熱性を有する容器については、胴部に複数の減圧吸収パネルが配置されており、容器内の減圧に伴う形状変形（外観形状の変形）を該パネルの変位によって吸収することにより防止している（例えば特許文献１参照）。
【０００４】
【特許文献１】実公平３−１５４４９号公報
【０００５】
ところで、減圧吸収パネルを有するタイプの容器は、該パネルの面積を大きくすることにより減圧吸収能を高めることができるものの、かかる面積が拡大されるとそれを除く他の部位の面積が小さくなることからパネル面以外の領域にラベルを巻きつける場合（食品等の容器）に、ラベルのサイズや装着位置が限定されてしまう不具合があり、また、熱収縮を伴うシュリンクラベルを減圧吸収パネルを取り囲むように装着する場合においては減圧吸収パネルの面積が大きくなるほどその部位が痩せて見え商品の見栄えを損なうこともあって、この種の容器においては減圧吸収能を高い状態に維持するにも限界があった。
【発明の開示】
【発明が解決しようとする課題】
【０００６】
本発明の課題は、従来生じていた上記のような不都合を起こすことなしに減圧吸収能を必要充分に確保できる新規な合成樹脂製容器を提案するところにある。
【課題を解決するための手段】
【０００７】
本発明は、胴部の周りに区画凹所を設けてそれを減圧吸収パネルとする合成樹脂製の容器であって、
前記減圧吸収パネルは、容器の口部から底部へ向かって延びるとともに胴部の周りで相互に間隔を開けて配列される複数の縦壁と、隣接する縦壁を相互に連結する少なくとも１つの横壁からなることを特徴とする合成樹脂製容器であり、該横溝は、縦壁の上端又は下端の何れか一方で連結するのが好ましい。
【０００８】
また、上記の容器において横壁は、縦壁の上端同士及び下端同士をそれぞれ一つおきに交互につないで全体としてエンドレスの波形形状に区画するものが望ましい。
【０００９】
さらに、前記横壁は、縦壁の上端同士又は下端同士をそれぞれ連結してＵ字又は逆Ｕ字形状に区画することもできる。
【発明の効果】
【００１０】
縦壁同士を横壁よってつなぎ合わせた区画凹所とすることで縦壁のみならず横壁も減圧吸収に寄与することから減圧吸収能が高められる。
【００１１】
また、縦壁の配置間隔や長さは比較的自由に設定できるのでラベルの装着領域が狭まることがないし、縦壁の相互間には柱（あるいはリブ）が存在するのでその周りにシュリンクラベルを装着しても痩せて見えることがない。
【発明を実施するための最良の形態】
【００１２】
以下、図面を用いて本発明をより具体的に説明する。
図１は本発明にしたがう合成樹脂製容器（ボトル型）の実施の形態を示したものであり、図２はその側面図、図３はＡ−Ａ断面図である。
【００１３】
本発明の実施の形態で例示した容器は、容器の胴部をウエスト１を境にして上下に二分し、上側胴部に容器の径方向における強度を高める横溝２を４本設け、下側胴部に区画凹所からなる減圧吸収パネル３を設けた構成のものであり、該減圧吸収パネル３は容器の口部から底部へ向かって延びかつ胴部の周りで相互に間隔Ｌを開けて配列される縦壁３ａ〜３ｈと、この縦壁３ａ〜３ｈの上端及び下端をそれぞれ一つおきに交互につなぐ横壁３ｉ〜３ｐからなっている。
【００１４】
減圧吸収パネル３は縦壁３ａ〜３ｈと横壁３ｉ〜３ｐが全てつながったエンドレスの波形形状からなっており、この区画凹所が全体で変位することで容器の減圧に伴う形状変形を吸収する。
【００１５】
減圧吸収量は縦壁３ａ〜３ｈの幅や長さあるいは横壁３ｉ〜３ｐの幅、長さの調整により十分な減圧吸収量を確保することが可能で、パネルの面積を単に拡大して吸収能を高める（減圧吸収量を大きくする）従来型の容器に比較して容器の外観形状に対する影響が少なく、縦壁の各相互間にはリブが存在するためその部位にラベルを装着しても痩せて見えることはない。
【００１６】
また、縦壁３ａ〜３ｈの長さを短くすることでパネル面を除く領域を広くできるので該領域にラベルを装着するに当たってラベルのサイズに制限を受ける不都合もない。なお、縦壁３ａ〜３ｈの長さを短くすると短くした分だけ減圧吸収量が小さくなるので、この場合には該縦壁３ａ〜３ｈの幅寸法を大きくするか、あるいはこれと同時に横壁３ｉ〜３ｐの長さ、幅寸法を変更すればよい。
【００１７】
図４〜図６は本発明にしたがう合成樹脂製容器の他の実施の形態を示したものである。縦壁３ａ〜３ｈをつなぐ横壁３ｉ〜３ｐは図４、図５に示すように湾曲した区画凹所としこれでもって連結することも可能である。このタイプの減圧吸収パネル３は減圧吸収の際にスムーズに変位させることができる利点がある。
【００１８】
図７〜図１０は、本発明にしたがう他の実施の形態を示した図である。
【００１９】
図７は縦壁３ａ〜３ｈのうちの隣接する２本を１組としてそれらをその上端で横壁３ｉ〜３ｐで連結して逆Ｕ字状に区画した構成の展開図であり、図８は縦壁３ａ〜３ｈのうちの隣接する３本を一組としてそれらの上端と下端を順次に連結してＮ字形状に区画した構成の展開図であり、図９は縦壁３ａ〜３ｈのうちの隣接する４本を一組としてそれらの上端と下端を交互に連結してＭ字状に区画した構成の展開図、さらに図１０は縦壁３ａ〜３ｈのうちの隣接する２本を１組としてその相互間を縦壁３ａ〜３ｈの中央部で横壁３ｉ〜３ｐによって連結してＨ字状に区画した構成の展開図である。
【００２０】
上記ような構成においては、容器の減圧吸収に際して横壁が有効に変位するため充分な吸収量が確保できるだけでなく、減圧吸収パネル３の相互間には柱４が形成されるため容器の座屈強度が高められる。
【００２１】
縦壁３ａ〜３ｈを連結する横溝３ｉ〜３ｐは、対象とする容器の用途やサイズによって任意の位置に配置することが可能で（ただし、減圧吸収パネル３が胴部の周りで均等に変位するような配置とする。）、減圧吸収パネルの形状は図示したような波形、逆Ｕ字（Ｕ字を含む）、Ｎ字（逆Ｎ字を含む）、Ｍ字（逆Ｍ字を含む）形状あるいはＨ字状にのみ限定されるものではなく種々の変更が可能である。
【００２２】
容器を構成する樹脂としてはポリエチレンレテフタレートやポリプロピレンやポリエチレン等の合成樹脂を用いることができるが、使用する樹脂については適宜選択されるものであり、また、成形法もブロー成形のみならず射出成形を適用することも可能で成形法についてもとくに限定されない。
【産業上の利用可能性】
【００２３】
容器の外観やラベルの装着位置に影響を与えることなしに高い減圧吸収能を確保できる合成樹脂製容器が提供できる。
【図面の簡単な説明】
【００２４】
【図１】本発明にしたがう合成樹脂製容器の実施の形態を示した図（正面図）である。
【図２】図１に示した容器の側面図である。
【図３】図１に示した容器のＡ−Ａ断面図である。
【図４】本発明にしたがう合成樹脂製容器の他の実施の形態を示した図である。
【図５】図４に示した容器の側面図である。
【図６】図４に示した容器のＢ−Ｂ断面図である。
【図７】本発明にしたがう合成樹脂製容器の他の実施の形態を示した図である。
【図８】本発明にしたがう合成樹脂製容器の他の実施の形態を示した図である。
【図９】本発明にしたがう合成樹脂製容器の他の実施の形態を示した図である。
【図１０】本発明にしたがう合成樹脂製容器の他の実施の形態を示した図である。
【符号の説明】
【００２５】
１  ウエスト
２  横溝
３ａ〜３ｈ  縦壁
３ｉ〜３ｐ  横壁
４  柱
【図１】
2005343474.tif 000003
【図２】
2005343474.tif 000004
【図３】
2005343474.tif 000005
【図４】
2005343474.tif 000006
【図５】
2005343474.tif 000007
【図６】
2005343474.tif 000008
【図７】
2005343474.tif 000009
【図８】
2005343474.tif 000010
【図９】
2005343474.tif 000011
【図１０】
2005343474.tif 000012